(57)【要約】【課題】  窓ガラスに貼着して結露を防止すると共に断熱機能などを備えるレース生地の提供。【解決手段】  レース生地１の裏面には薄い樹脂被膜２を形成し、該樹脂被膜２は窓ガラスに貼着出来るように粘着性を備えると共に熱伝導率をガラスより低い材質としている。【選択図】    図１
0003127637.tif 000002
【実用新案登録請求の範囲】
【請求項１】
窓ガラスに貼着して結露を防止すると共に断熱機能などを備えるレース生地において、裏面には薄い樹脂被膜を形成し、該樹脂被膜は窓ガラスに貼着出来るように粘着性を備えると共に熱伝導率をガラスより低い材質としたことを特徴とするレース生地。
【請求項２】
カーテンに使用するレース生地において、該レース生地の裏面には薄い樹脂被膜を形成したことを特徴とするレース生地。
【請求項３】
上記樹脂被膜の厚さを１０ミクロンとした請求項２記載のレース生地。
【考案の詳細な説明】
【技術分野】
【０００１】
本考案は防音機能、断熱機能、結露防止機能など備えたレース生地に関するものである。
【背景技術】
【０００２】
結露は、屋外の低い温度によって窓ガラスが冷やされ、窓ガラスの屋内側表面の温度が室内温度に比べて大きく下がると、屋内側の空気中に含まれていた水蒸気が液体化し、水滴となって窓ガラスに付着することで発生する。そして、窓ガラスに結露した水滴は、屋内のカーテン生地を汚染するばかりでなく、冬季の屋内暖房効果を低下させ、エネルギーのロスを発生させる。
【０００３】
これを防ぐため、窓ガラスを二重構造にすることが一般的に行われている。しかし、既存のガラス窓に対して窓ガラスを二重構造にするのは容易でなく、その為に、障子枠内の窓ガラスの外周部分に沿ってスペーサーテープを張り付け、このスペーサーテープ上に、窓ガラスとの間に空気層を形成するよう断熱用フイルムを張り付けた構造とする場合もある。すなわち、２重構造の窓ガラスの簡易型であるが、張り付けた断熱用フイルムはダブ付き、部屋の外観が損なわれる。勿論、物が触れることで破れるケースも多い。
【０００４】
又特開２００６−１６９７８９号に係る「窓用結露防止・断熱装置」は、充分な結露防止効果、断熱効果を得ることができ、取付作業が簡単で、取付作業を作業性よく行うことのできる窓用結露防止・断熱装置である。そこで、第１開口を形成する周回した４辺が任意の幅とされ、外形が窓ガラスＧの外形の大きさとされた矩形状に形成され、窓ガラスＧとともにガラス障子Ｓの障子枠Ｆに取り付けられる取付板状部と、第２開口を形成する周回した４辺が任意の幅とされ、取付板状部の窓ガラスＧと反対側に周回する外側へ取付板状部が突出する状態で設けられ、第２開口を形成する内周縁に周回する段差を備えた枠体部と、段差に取り付けられ、窓ガラスＧとの間に所定の厚さの空気層を形成する板状体とを備えている。
【０００５】
ガラス窓の構造をこのような２重構造とする場合、取付けコストは高くなり、しかも既存の窓ガラスに後付けと成ることでガラス窓の面積が縮小されてしまう。
【特許文献１】特開２００６−１６９７８９号に係る「窓用結露防止・断熱装置」
【考案の開示】
【考案が解決しようとする課題】
【０００６】
このように２重構造のガラス窓には上記のごとき問題がある。本考案が解決しようとする課題はこの問題点であり、窓ガラスに貼着することで結露を防止することが出来るレース生地を提供する。又、このレース生地を用いたカーテンを提供する。
【課題を解決するための手段】
【０００７】
本考案のレース生地は窓ガラスに貼着することが出来るものであり、裏面にはごく薄い粘着性の樹脂被膜を形成している。レース生地は小さな隙間を無数に有し、又無数の小さな空気層を形成していて、窓ガラスに貼着した場合に視界及び採光を殆ど遮ることはない。ただし、距離を隔てて外から見た場合には視界が遮られて内部は見えないようになる。
【０００８】
そして、裏面に形成される粘着性の樹脂被膜は、ガラスより熱伝導率の低いものが使用される。ガラスの熱伝導率は比較的高いが、これよりも低い樹脂が用いられる。一方、カーテン用レース生地の場合にはその裏面に同じくごく薄い樹脂被膜を形成しているが、この樹脂被膜には粘着性はない。樹脂被膜がごく薄いことでレースのカーテンとして機能し、ヒダを形成した優雅な雰囲気を漂わしてファッション性を損なうことがないように構成している。
【考案の効果】
【０００９】
本考案では窓ガラス面にレース生地を貼着することで結露が防止され、従来のような２重窓ガラスの構造に比較して必要なコストは格段に安く、しかも部屋の外観を損なうことはない。すなわち、レース生地は熱伝導率の低い空気を満たす無数の小さな空気層を形成していることで、窓ガラスが外気温によって冷やされてもレース生地の温度低下が抑えられて結露の発生が防止される。
【００１０】
そして、該レース生地は必要な窓ガラスに手軽に貼着することが出来る。又、レース生地は小さな空気層を無数に形成することで、断熱機能や防音機能を備えることも出来る。さらに、薄いレース生地ではあるが樹脂被膜を形成することで防音効果も向上し、紫外線遮蔽処理を行うことで紫外線遮蔽機能を備えることが出来る。一方、粘着性のない薄い樹脂被膜を裏面に形成したレースカーテンは、同じように窓ガラスの結露を防止し、断熱機能や防音機能、及び花粉ガード機能を発揮できる。
【実施例】
【００１１】
図１は窓ガラスに貼着されるレース生地１を表している。レース生地１は複数本の糸を編製したものであり、その面に模様を形成することもあり、又は模様のない無地の生地面とすることもある。そして、裏面には薄い樹脂被膜２が形成され、該樹脂被膜２は粘着性を有している為に、レース生地１は窓ガラス面に貼着することが出来る。ここで、レース生地１は互いに絡み合っている糸３，３・・の間には小さな隙間が形成され、無数の空気層を有している。
【００１２】
ところで、このレース生地１は窓ガラスに貼着することが出来る。すなわち、粘着性を有す樹脂被膜２が窓ガラスに固着されてレース生地１は窓ガラス面を被覆する。この場合、レース生地は薄く、又互いに絡み合う各糸３，３・・の間には無数の隙間が形成さる為に、窓ガラスの視界が遮られることはない。そして、粘着性のある樹脂被膜２は、その熱伝導率がガラスより小さく成っている。
【００１３】
このレース生地１は窓ガラスの全面を被覆するように屋内側に貼着することで結露が防止される。すなわち、窓ガラス面には熱伝導率の低い空気で満たされる無数の小さい空気層を有すレース生地１及び熱伝導率の低い樹脂被膜２が設けられることで、冷たい外気温によってレース生地１は冷え難く、しかもレース生地１に形成されている細かい無数の隙間によって結露が発生しないようになる。一方、レース生地１を窓ガラスに貼着することで断熱効果、及び防音効果を向上させることが出来る。そして、レース生地に紫外線遮蔽処理を施すならば、外からの紫外線が室内に入ることを防止出来、少なくとも抑制される。
【００１４】
一方、図２は本考案のカーテン用のレース生地１を表している。基本的な構造は前記図１のレース生地１を同じであって、裏面にはごく薄い樹脂被膜４が形成されている。ただし、図２のカーテン生地１の場合には該樹脂被膜４に粘着性は備わっていないが、レースカーテンはその裏面に薄い樹脂被膜４を有していることで、レース生地１を編製している各糸３，３・・間の隙間は貫通することなく閉ざされている。
【００１５】
このことで本考案のレースカーテンは特有な効果を備えることが出来る。
(１)防音機能
図３は本考案に係るレース生地を使用したカーテン(点線)と通常のカーテン(実線)の防音機能を比較している。同図から明らかなように、騒音の周波数が低い場合には両カーテンに大きな差は存在しないが、周波数が高くなるにしたがって本考案のカーテンの防音効果の高いことが分かる。
(２)断熱機能
本考案のレース生地を使用したカーテンは熱伝導率の低い空気を満たす無数の小さい空気層を有し、又そのレース生地の裏面に薄い樹脂被膜４が形成されることで、対流による熱の伝達を遮断することが出来る。その結果、図４に示すごとく断熱機能は通常のカーテンに比較して大幅に向上している。断熱機能の向上により冷暖房費を削減することが出来る。
(３)結露防止機能
優れた断熱機能は結露防止効果をもたらすことが出来る。
(４)ＵＶカット機能
本考案のレース生地を使用したカーテンは裏面に薄い樹脂被膜を形成しているが、部屋へ入射する光を大きく遮ることはなく、しかし有害な紫外線を約８７．６％カットすることが出来る。該レースカーテンを使用した場合の照射量は６．２２５Ｊ／ｃｍ２、透過量は０．７７Ｊ／ｃｍ２となる。
(５)花粉ガード機能
カーテン生地に形成した薄い樹脂被膜はレース生地の無数の小さい穴を塞ぐことで外からの花粉の進入を防ぐことが出来る。
(６)目隠し機能
ブライト系をレース裏面に編込み、さらに裏面に薄い樹脂被膜を形成することで、外からの視界を遮り、部屋の中は見え難くなる。
【００１６】
本考案はあくまでもレースカーテン用の生地を対象としたものであり、このレース生地をどのようにデザインしてカーテンを構成するかは限定しない。カーテンはフリーツを作ってデザイン化し、上レールに吊設されて開閉することが出来る。
【図面の簡単な説明】
【００１７】
【図１】本考案に係るレース生地。
【図２】本考案に係るレース生地。
【図３】防音機能を比較した図面。
【図４】断熱機能を比較した図面。
【符号の説明】
【００１８】
１  レース生地
２  樹脂被膜
３  糸
４  樹脂被膜
【図１】
0003127637.tif 000003
【図２】
0003127637.tif 000004
【図３】
0003127637.tif 000005
【図４】
0003127637.tif 000006